(57)【要約】【課題】改ざんやいたずらの痕跡が明確に検知できるシュリンクフィルム包装体を提供する。【解決手段】シュリンクフィルム包装体は、容器と、酸素インジケータと、脱酸素剤と、これらの全体を包むようにシュリンク包装する熱収縮性プラスチックフィルムであるシュリンクフィルムとを含む。酸素インジケータは、例えば、ゲーブルトップ型の容器の屋根面や注出口栓に取り付けられる。シュリンクフィルムは、酸素バリア性を有することが好ましい。【選択図】図１
2015098345.tif 000002
【特許請求の範囲】
【請求項１】
容器と、
酸素インジケータと、
脱酸素剤と、
前記容器、前記酸素インジケータ、及び、前記脱酸素剤の全体を包むようにシュリンク包装する熱収縮性プラスチックフィルムであるシュリンクフィルムと、を含む、シュリンクフィルム包装体。
【請求項２】
前記容器は、ゲーブルトップ型の紙製容器であり、その屋根面に前記酸素インジケータ及び前記脱酸素剤を配置した、請求項１に記載のシュリンクフィルム包装体。
【請求項３】
前記容器は、キャップ及び前記紙製容器に溶着されたスパウトを含む注出口栓を備え、
前記酸素インジケータは、前記キャップに配置した請求項１に記載のシュリンクフィルム包装体。
【請求項４】
前記シュリンクフィルムは酸素バリア性を有する、請求項１〜３のいずれかに記載のシュリンクフィルム包装体。
【発明の詳細な説明】
【技術分野】
【０００１】
本発明は、容器と、当該容器を覆うシュリンクフィルムとからなるシュリンクフィルム包装体に関するものである。
【背景技術】
【０００２】
飲料、液体調味料、化粧品等の製品の包装手段として特許文献１に開示されるような紙層を基材とした紙製容器をシュリンクフィルムで覆った包装体が知られている。
【先行技術文献】
【特許文献】
【０００３】
【特許文献１】特開２００６−１４３２３１号公報
【発明の概要】
【発明が解決しようとする課題】
【０００４】
このような包装体は、流通過程等において製品への改ざんやいたずらを行ってシュリンクフィルムを引き裂けばその痕跡が残るため、いわゆるタンパーエビデンス性を有し改ざんやいたずらを抑制することが可能である。
【０００５】
しかしながら、例えば、針等の先端の細いものを外部から突き刺してシュリンクフィルムを通して紙製容器に穴をあけることにより内容物を汚損するようないたずらに対しては、開けられた穴が小さい場合には穴の確認が困難であり、いたずらを発見することができない場合がある。このため、シュリンクフィルムを用いても十分なタンパーエビデンス性を確保することが困難な場合があった。
【０００６】
また、このようないたずらへの対策として、瓶やペットボトルのような、傷をつけたり穴を開けたりすることが困難な材質のものを容器として採用することも考え得るが、この場合には紙製容器が有する軽量性、廃棄の容易さ等の利点が得られないことになる。
【０００７】
そこで、本発明は紙製容器の利点を生かしながらも、シュリンクフィルムによるタンパーエビデンス性をより十分に確保できるシュリンクフィルム包装体を提供することを目的とする。
【課題を解決するための手段】
【０００８】
上記目的を達成するために、本発明は、容器と、酸素インジケータと、脱酸素剤と、これら容器、酸素インジケータ、及び、脱酸素剤の全体を包むようにシュリンク包装する熱収縮性プラスチックフィルムであるシュリンクフィルムとを含むシュリンクフィルム包装体である。
【０００９】
また、ゲーブルトップ型の紙製容器であり、その屋根面に酸素インジケータ及び脱酸素剤を配置してもよい。
【００１０】
また、キャップ及び紙製容器に溶着されたスパウトを含む注出口栓を備え、酸素インジケータは、キャップに配置してもよい。
【００１１】
また、シュリンクフィルムは酸素バリア性を備えてもよい。
【図面の簡単な説明】
【００１２】
【図１】実施形態に係るシュリンクフィルム包装体の斜視図である。
【図２】実施形態に係るシュリンクフィルム包装体の要部断面図である。
【図３】実施形態の変形例１ないし変形例３に係るシュリンクフィルム包装体の斜視図である。
【発明を実施するための形態】
【００１３】
（実施形態）
図１は本発明の一実施形態に係るシュリンクフィルム包装体１０１の斜視図である。また、図２は図１に係るシュリンクフィルム包装体の要部をＡ−Ａ線で切断し矢印方向から見た断面図である。シュリンクフィルム包装体１０１は紙製容器１０２と、紙製容器１０２の屋根面１０５に貼付された酸素インジケータの包装袋１０９と、酸素インジケータの包装袋１０９に包装された酸素インジケータ１０３と、紙製容器１０２の屋根面１０５に貼付された脱酸素剤１１０の包装袋１１１と、脱酸素剤１１０の包装袋１１１に包装された脱酸素剤１１０と、これらをともに覆って密閉するシュリンクフィルム１０４と、から構成される。
【００１４】
紙製容器１０２は、概ね次のような工程で製造される。すなわち、基材として紙を用いた積層体を紙製容器１０２の形状に合わせて所定の形状に打ち抜き、同時に折曲げ用の罫線を入れたブランク材として成形する。その後、ブランク材を罫線に沿って折曲げ、必要な部分を接着し組み立てることによって本実施形態に係る紙製容器１０２を製造することが出来る。
【００１５】
積層体は、基材を紙として、熱可塑性樹脂層及びバリア層からなる。熱可塑性樹脂層は最内層及び最外層を構成してとしてポリエチレン（ＰＥ）が用いられる。バリア層には、ポリエチレンテレフタレート（ＰＥＴ）、ナイロン（ＮＹ）などのプラスチックの延伸または未延伸のフィルムにアルミニウムなどの金属やアルミナ、酸化珪素などの金属酸化物の薄膜を蒸着した透明蒸着加工フィルム、またはアルミニウム箔などが適用できる。積層体は、例えば、紙製容器１０２の外側から順にＰＥ／紙／ＰＥ／アルミニウム／ＰＥＴ／ＰＥの層構成、ＰＥ／紙／ＰＥ／透明蒸着ＰＥＴ／ＰＥの層構成などの積層体を用いることができる。
【００１６】
本実施形態において、紙製容器１０２には箱型容器の頂部を屋根型とするゲーブルトップ型の容器を採用している。紙製容器１０２は、箱型容器の上部を覆う傾斜を設けた２つの面からなる屋根面１０５と、４つの面からなり側壁を形成する側面１０６と、２つの面からなる折込面１０７及び箱型容器の底を形成する１つの面からなる底面１０８から構成される。
【００１７】
酸素インジケータ１０３は酸素検知剤とも呼ばれ、周囲の空気が脱酸素状態にあるか否かを例えば色調の変化により示すものである。酸素インジケータは、酸化還元色素、還元剤、バインダー等の組合せによる多様な種類があるが、本実施形態の酸素インジケータ１０３として、いずれを用いてもよい。
【００１８】
本実施形態において酸素インジケータ１０３は酸素インジケータの形態として広く使用されている錠剤型を用いている。錠剤型の酸素インジケータは、一例として、直径１ｃｍ程度の大きさに打錠成形され、ポリエチレンやポリプロピレンなどの包材に微細孔を開けた酸素インジケータの包装袋１０９により個包装されている。本実施形態においては、錠剤型を採用しているが、脱酸素状態にあるか否かを判別する機能を有するものであれば、錠剤型以外にも液状、インキタイプ、シート状、ペーパータイプ型、等も用いることができる。なお、酸素インジケータ１０３の包装袋１０９は酸素インジケータ１０３の管理を容易にするために採用されている包装材料であって本発明の実施に必須の構成要素ではない。
【００１９】
脱酸素剤１１０は、例えば、鉄を主成分としてなり、鉄の酸化作用を利用して密閉空間内の酸素を吸収する機能を有する。
【００２０】
本実施形態においては、脱酸素剤１１０を脱酸素剤の包装袋１１１により包装して、シュリンクフィルム１０４により密閉された空間におくことで、シュリンク包装の際にシュリンクフィルム１０４内部に残存する酸素の量を減らし、シュリンクフィルム１０４による密閉状態において酸素インジケータ１０３が酸素を検知するという誤反応を防止する。また、脱酸素剤１１０は、紙製容器１０２の酸素透過量をより低減して内容物の酸化による劣化を防止する。なお、脱酸素剤１１０の包装袋１１１は脱酸素剤１１０の管理を容易にするために採用されている包装材料であって本発明の実施に必須の構成要素ではない。
【００２１】
シュリンクフィルム１０４は、ポリエチレン（ＰＥ）、ポリプロピレン（ＰＰ）、ナイロン（ＮＹ）等を主な原料とした熱収縮性フィルムからなる。本実施形態において、シュリンクフィルム１０４は、図１及び図２に示すように紙製容器１０２、酸素インジケータ１０３及び脱酸素剤１１０を覆うシュリンク包装に用いられる。シュリンクフィルム１０４は、紙製容器１０２、酸素インジケータ１０３及び脱酸素剤１１０の全体を覆った後に、所定の熱が加えられ収縮することにより、これらにほぼ密着する（シュリンク包装）。
【００２２】
次に本実施形態における、酸素インジケータ１０３の役割について説明する。
【００２３】
本実施形態においては、図１及び図２に示すように紙製容器１０２、酸素インジケータ１０３及び脱酸素剤１１０をシュリンクフィルム１０４で覆いその後シュリンク包装を行う。このため、酸素インジケータ１０３はシュリンク包装がされた後は、消費者等がシュリンクフィルム１０４を開封するまでは酸素に触れることがない。したがって、消費者等が製品を開封する時点において、酸素インジケータ１０３が色調の変化等による酸素の検知を示していなければ、消費者は流通過程においてシュリンクフィルム１０４さらには紙製容器１０２が針等を用いて穴をあけられるといったいたずらがされていないことが分かる。
【００２４】
しかしながら、流通過程でシュリンクフィルム１０４に穴があけられる等がされた場合には、酸素インジケータ１０３は外気と触れることになる。この結果、流通過程において酸素インジケータ１０３は色調の変化を示すため、消費者等はシュリンクフィルム１０４の内部が脱酸素状態にない、すなわちシュリンクフィルム１０４に穴があけられる等のいたずらをされた製品である可能性が高い製品であることを知ることができる。
【００２５】
酸素インジケータ１０３は、紙製容器１０２とシュリンクフィルム１０４とにより形成される空間であって、流通過程において酸素を含んだ外気に触れることがなく、シュリンクフィルム１０４に穴や裂け目ができた場合にのみ酸素を含んだ外気に触れる位置に配置される必要がある。本実施形態において、酸素インジケータ１０３の包装袋１０９は紙製容器１０２の屋根面１０５に貼付されているが、酸素インジケータ１０３の位置は屋根面１０５に限定されるものではなく、上記条件を満たす位置であれば紙製容器１０２の側面１０６、折込面１０７及び底面１０８のいずれかの面とシュリンクフィルム１０４の内面により形成される空間であればどこでもよい。
【００２６】
また、酸素インジケータ１０３が流通過程において酸素に触れることを防止するために、シュリンクフィルム１０４を酸素バリア性の高い、エチレン―ビニルアルコール共重合ポリマー（ＥＶＯＨ）を含む積層フィルムとすることが好ましい。例えば、最外層からＰＥ／接着性樹脂／ＥＶＯＨ／接着性樹脂／ＰＥ、あるいは、ＰＰ／接着性樹脂／ＥＶＯＨ／接着性樹脂／ＰＰ、ＮＹ／接着性樹脂／ＥＶＯＨ／接着性樹脂／ＰＥ、又はＰＰ／接着性樹脂／ＥＶＯＨ／接着性樹脂／ＰＥ等の積層フィルムを採用することができる。酸素バリア性の高い積層フィルムを用いることで流通過程においてシュリンクフィルムを透過した酸素により酸素インジケータ１０３が誤反応を示すことを防止できる。
【００２７】
また、酸素インジケータ１０３と脱酸素剤１１０とは、一体的に形成されてもよい。また、シュリンク包装時にはシュリンクフィルム１０４の内部に酸素が残存することを極力避けるために、脱気や窒素置換を行ってもよい。また、あるいはシュリンクフィルム１０４の酸素バリア性が十分に高い場合、シュリンクフィルム包装体の想定流通期間が短い場合等は、脱酸素剤１１０はなくてもよい。
【００２８】
以下に上述の実施形態の変形例を示す。変形例において、実施形態と同一の構成要素には同一の参照符号を付す。
【００２９】
（変形例１）
図３の（ａ）は本発明の変形例１に係るシュリンクフィルム包装体２０１の斜視図である。
【００３０】
変形例１は、注出口栓２１０を有し、酸素インジケータ１０３がキャップの頂部に配置されている点で、上述の実施形態と異なる。注出口栓２１０は紙製容器１０２の屋根部１０５に一体に溶着されたスパウトと、スパウトに着脱可能なキャップと、から構成される。酸素インジケータ１０３のキャップへの固定方法は酸素インジケータ１０３が流通過程においてキャップからはずれなければ、接着剤を用いてもよいし、キャップ自体を酸素インジケータ１０３の包装袋とするために酸素インジケータ１０３を収容するくぼみをキャップに設けてこれに収納してもよい。
【００３１】
変形例１において、酸素インジケータ１０３は屋根面１０５に形成された注出口栓を構成するキャップの頂部に設けられているため、変形例１は実施例１と比較して消費者が内容物を取り出す際に酸素インジケータ１０３をより視認しやすいという効果を有する。
【００３２】
（変形例２）
図３の（ｂ）は本発明の変形例２に係るシュリンクフィルム包装体３０１の斜視図である。
【００３３】
変形例２は、酸素インジケータ１０３と脱酸素剤１１０が紙製容器１０２の側面１０６に配置されている点で、上述の実施形態と異なる。
【００３４】
以上、実施形態及び変形例において説明したように、酸素インジケータ１０３及び脱酸素剤１１０が配置される位置は実施形態及び変形例で開示された位置に限定されるものではない。すなわち、紙製容器１０２とシュリンクフィルム１０４とにより形成される空間であって、流通過程において酸素を含んだ外気に触れることがなく、シュリンクフィルム１０４に穴や裂け目ができた場合にのみ酸素を含んだ外気に触れる位置に配置されれば、紙製容器１０２の側面１０６、折込面１０７及び底面１０８のいずれかの面とシュリンクフィルム１０４の内面により形成される空間のどこでもよい。なお、本実施形態において、紙製容器にはゲーブルトップ型を例示したが、図３の（ｃ）に斜視図を示す変形例３のように頂部を平らに形成したフラットトップ型の箱型の紙製容器４０２を用いてもよい。また、本発明は紙製容器以外の容器にも適用できる。
【００３５】
以上、本発明の実施形態、変形例について説明したが、本発明は、各構成要素のサイズ、材質、形状、配置等において種々の設計変更が可能である。
【００３６】
本発明の効果を確認するため以下の実施例および比較例１−３を作成した。
【００３７】
（実施例）
実施例には紙製容器、酸素インジケータ及び脱酸素剤をシュリンクフィルムでシュリンク包装したシュリンクフィルム包装体を用いた。
【００３８】
実施例は、実施形態のシュリンクフィルム包装体に注出口栓を追加した構成を採用した。具体的には、紙製容器には、外側から順にＰＥ／紙／ＰＥ／透明蒸着ＰＥＴ／ＰＥの層を構成する積層体を用いて、ＰＥを材質としたキャップが付いた、容量２リットルのゲーブルトップ型の容器を用いた。シュリンクフィルムには、最外層からＰＥ／接着性樹脂／ＥＶＯＨ／接着性樹脂／ＰＥからなる積層フィルムをもちいて、それぞれの層の厚さを、ＰＥを５マイクロメートル、接着樹脂を２マイクロメートル、ＥＶＯＨを５マイクロメートルとした。酸素インジケータ及び脱酸素剤はそれぞれ紙製容器の別の屋根部に貼付した。また、シュリンク包装の際には脱気を行った。
【００３９】
（比較例１）
比較例１と実施例との相違点は、シュリンクフィルムの材質、酸素インジケータ及び脱酸素剤の有無である。すなわち、比較例１のシュリンクフィルムには、厚さ２０マイクロメートルのＰＰを用いた。したがって、比較例１のシュリンクフィルムにはＥＶＯＨ層は含まれていない。また、比較例１では酸素インジケータ及び酸素吸収剤を使用しない。それ以外の条件は実施例と同一とした。
【００４０】
（比較例２）
比較例２と実施例との相違点は酸素インジケータ及び脱酸素剤の有無である。すなわち、比較例２では酸素インジケータ及び脱酸素剤を使用しない。それ以外の条件は実施例と同一とした。
【００４１】
（比較例３）
比較例３と実施例との相違点はシュリンクフィルムの材質である。すなわち、比較例３のシュリンクフィルムには、厚さ２０マイクロメートルのＰＰを用いた。したがって、比較例１のシュリンクフィルムにはＥＶＯＨ層は含まれていない。それ以外の条件は実施例と同一とした。
【００４２】
（評価１）
評価１では、実施例及び比較例１ないし比較例３のシュリンクフィルムに直径１ミリメートルの穴をあけて、室温にて２４時間放置した後に穴をあけたことが確認可能か否かにより評価を行った。
【００４３】
実施例はシュリンクフィルムにあけた穴から流入する酸素により酸素インジケータが色調の変化を示すために、シュリンクフィルムに穴をあけたことを確認することができた。一方、比較例１及び比較例２は酸素インジケータを使用しなかったために、穴を開けたことを確認することができなかった。また、比較例３は、シュリンクフィルムのバリア性能が低く、酸素インジケータは当初から色調の変化を示しており、シュリンクフィルムに穴をあけたことによっての色調の変化を確認することができなかった。
【００４４】
（評価２）
評価２では、シュリンク包装体の酸素バリア性能について評価を行った。詳細には、室温２０℃、相対湿度６０％の状態で実施例及び比較例１から比較例３のシュリンクフィルム包装体を２４時間放置した後に、ＪＩＳ  Ｋ７１２６−２「プラスチック−フィルム及びシート−ガス透過度試験方法第２部：等圧法」の付属書Ａに記載の電解センサ法を使用して、大気中の酸素がフィルム内部へ透過する量を測定した。
【００４５】
評価２の結果は、１パック２４時間当たりで、実施例が０．００５ｃｃ、比較例１が０．１１ｃｃ、比較例２が０．０７ｃｃ、比較例３が０．１ｃｃであった。
【００４６】
以上の評価結果より、酸素インジケータによりシュリンクフィルムに穴があけられたことを確認することができた。また、ＥＶＯＨ層を有するシュリンクフィルムによりシュリンク包装をすることにより良好な酸素バリア性能を得られることが確認できた。
【産業上の利用可能性】
【００４７】
本発明のシュリンクフィルム包装体は、紙製容器等の容器を包装するシュリンクフィルム包装体に有用である。
【符号の説明】
【００４８】
１０１、２０１、３０１、４０１    シュリンクフィルム包装体
１０２、４０２    紙製容器
１０３    酸素インジケータ
１０４    シュリンクフィルム
１０５    屋根面
１０６    側面
１０７    折込面
１０８    底面
１０９    酸素インジケータの包装袋
１１０    脱酸素剤
１１１    脱酸素剤の包装袋
２１０    注出口栓
【図１】
2015098345.tif 000003
【図２】
2015098345.tif 000004
【図３】
2015098345.tif 000005